(57)【要約】【課題】支持体における被固定物と反対側面に手が届かない場合、支持体が木ねじをねじ込むのに適した下地を有していない場合、支持体が建物の外部に露出している破風板等である場合等において、該支持体に被固定物を確実に固定することができるようにした固定具を提供する。【解決手段】雄ねじ３を備えた雄ねじ杆１の一端１ａには該雄ねじ杆の長さ方向と直角方向の支軸５を備えさせ、該支軸には回動杆１１を回動自在に支持させ、該回動杆を常時雄ねじ杆の長さ方向と直角になる方向に付勢するばね１３を設け、該雄ねじ杆にはナット１５を螺合させるようにしたことを特徴とする固定具。前記雄ねじ杆の他端には被固定物を縛着するための縛着手段９を備えさせる。【選択図】図１
2008138760.tif 000002
【特許請求の範囲】
【請求項１】
雄ねじを備えた雄ねじ杆の一端には該雄ねじ杆の長さ方向と直角方向の支軸を備えさせ、該支軸には回動杆を回動自在に支持させ、該回動杆を常時雄ねじ杆の長さ方向と直角になる方向に付勢するばねを設け、該雄ねじ杆にはナットを螺合させるようにしたことを特徴とする固定具。
【請求項２】
前記雄ねじ杆の他端には被固定物を縛着するための縛着手段を備えさせたことを特徴とする請求項１に記載の固定具。
【発明の詳細な説明】
【技術分野】
【０００１】
本発明は、固定具に関するものであり、例えば、電気器具その他の器具等の被固定物を建物における天井板、内壁、外壁等の支持体に固定し、引込線（電線）の案内環等の被固定物を建物における破風板等の支持体に固定し、あるいは、雨樋金具、水道器具等の被固定物を建物における外壁等の支持体に固定するために使用される固定具に係るものである。
【背景技術】
【０００２】
このような固定具としては、例えば実開平５‐４１０１７号公報に示すように、ボルトとナット、木ねじ等が用いられている。  
【特許文献１】実開平５‐４１０１７号公報
【発明の開示】
【発明が解決しようとする課題】
【０００３】
しかるに、上記従来のボルトとナットの場合には、支持体における被固定物と反対側面にボルト頭又はナットが位置するため、当該反対側面に手が届かないときには、該ボルトとナットは使用することができない。また、支持体の厚みが大きい場合には、ボルトを該支持体に挿通させることができないこともある。
【０００４】
木ねじの場合には、支持体が木ねじをねじ込むのに適した下地を有していないときには使用不能である。
【０００５】
引込線の案内環等の被固定物を木ねじにより建物の外部に露出している破風板に固定する場合には、該破風板が腐食したときには木ねじが該破風板から抜け出すおそれがある。
【０００６】
本発明は、上記従来の固定具における上述の如き問題を解決し、支持体における被固定物と反対側面に手が届かない場合、支持体が木ねじをねじ込むのに適した下地を有していない場合、支持体が建物の外部に露出している破風板等である場合等において、該支持体に被固定物を確実に固定することができるようにした固定具を提供しようとしてなされたものである。
【課題を解決するための手段】
【０００７】
上記課題を解決するために、本発明は下記の固定具を提供する。
【０００８】
（１）雄ねじを備えた雄ねじ杆の一端には該雄ねじ杆の長さ方向と直角方向の支軸を備えさせ、該支軸には回動杆を回動自在に支持させ、該回動杆を常時雄ねじ杆の長さ方向と直角になる方向に付勢するばねを設け、該雄ねじ杆にはナットを螺合させるようにしたことを特徴とする固定具（請求項１）。
【０００９】
（２）前記雄ねじ杆の他端には被固定物を縛着するための縛着手段を備えさせる（請求項２）。
【００１０】
［発明の作用］
【００１１】
［請求項１の発明］
請求項１の発明の固定具により被固定物を支持体に固定する際には、支持体に透孔を穿設し、該透孔に雄ねじ杆をその一端より挿通させる（図３参照）。このとき、雄ねじ杆の当該一端に取り付けられた回動杆には、ばねの力に抗して雄ねじ杆と略平行な姿勢をとらせる。回動杆が該透孔を通過して支持体の反対側に出ると、該回動杆は、ばねの力により回動し、雄ねじ杆の長さ方向と直角になる（図４参照）。雄ねじ杆の当該一端に螺合させたナットを締め付けることにより、回動杆は支持体における反対側面に圧接し、固定具は該回動杆とナットとにより支持体を強力に挟持する。すなわち、固定具は該支持体に強力に固定される。
【００１２】
従って、雄ねじ杆の当該一端に被固定物を取り付けておけば、該被固定物は支持体に固定される。
【００１３】
［請求項２の発明］
請求項２の発明の固定具においては、雄ねじ杆の他端に備えさせた縛着手段により、被固定物を該雄ねじ杆に縛着する。
【発明の効果】
【００１４】
本発明は、下記の如き優れた効果を発揮する。
【００１５】
（イ）本発明によれば、回動杆が支持体の透孔を通過して支持体の反対側に出ると、該回動杆は、ばねの力により回動し、雄ねじ杆の長さ方向と直角になるため、支持体における被固定物と反対側面に手が届かないときでも、被固定物を支持体に容易に固定することができる。また、支持体の厚みが大きい場合でも、本発明の固定具は支障なく使用することができる。
【００１６】
（ロ）本発明によれば、支持体が木ねじをねじ込むのに適した下地を有していないときにでも、被固定物を支持体に容易に固定することができる。
【００１７】
（ハ）本発明によれば、支持体が建物の外部に露出している破風板である場合にも、引込線の案内環等の被固定物を該支持体に確実に固定することができ、該支持体が腐食したときでも、被固定物が該支持体から抜け出すおそれはない。
【発明を実施するための最良の形態】
【００１８】
符号1に示すものは雄ねじ杆である。雄ねじ杆１には雄ねじ３を刻設する。
【００１９】
雄ねじ杆1の一端1ａには該雄ねじ杆１の長さ方向と直角方向の支軸５を備えさせる。
【００２０】
雄ねじ杆１の他端１ｂには、一例として、被固定物７を縛着するためのワイヤ等の縛着手段９を備えさせる。
【００２１】
支軸５には回動杆１１を回動自在に支持させる。
【００２２】
回動杆１１は、雄ねじ杆１と略平行な姿勢、すなわち雄ねじ杆１に沿った姿勢（図２、図３参照）と、雄ねじ杆１の長さ方向と直角の姿勢（図１、図５参照）との間で回動自在である。図４参照。
【００２３】
図示の回動杆１１は、略樋状体をなしている。
【００２４】
回動杆１１を常時雄ねじ杆１の長さ方向と直角になる方向に付勢するばね１３を設ける。
【００２５】
ばね１３は、一例として、鋏形ばねとし、支軸５に巻きつけると共に、一端１３ａを回動杆１１の一端１１ａに係止し、他端１３ｂを雄ねじ杆１の前記一端１ａに当接させる。図１参照。
【００２６】
雄ねじ杆１にはナット１５を螺合させる。
【００２７】
雄ねじ杆１におけるナット１５と回動杆１１との間には、好ましくは座金１７を遊嵌する。
【００２８】
符号２１に示すものは、建物における天井板、内壁、外壁、破風板等の支持体であり、被固定物７は本発明の固定具により支持体２１に固定される。
【００２９】
図６に示す事例においては、本発明の固定具により、被固定物７たる水道管等の管２３を保持体２５を介して支持体２１に固定している。
【００３０】
図７に示す事例においては、本発明の固定具により、被固定物７たる引込線２７の案内環２９を支持体２１たる建物における破風板３１に固定している。案内環２９は、適宜の手段により雄ねじ杆１の他端１ｂに取り付けられている。
【００３１】
図８に示す事例においては、本発明の固定具により、被固定物７たる照明器具３３を取付板３５を介して支持体２１たる建物の天井板３７に取り付けている。照明器具３３は、適宜の手段により雄ねじ杆１の他端１ｂに取り付けられている。
【００３２】
なお、符号３９に示すものは、支持体２１に穿設された透孔である。
【図面の簡単な説明】
【００３３】
【図１】本発明による固定具の一例を示す側面図である。
【図２】同上固定具の別の側面図である。
【図３】同上固定具の使用状態を示す断面図である。
【図４】同上固定具の使用状態を示す別の断面図である。
【図５】同上固定具の使用状態を示す更に別の断面図である。
【図６】同上固定具により被固定具を支持体に取り付けた状態を示す断面図である。
【図７】同上固定具により別の被固定具を別の支持体に取り付けた状態を示す断面図である。
【図８】同上固定具により更に別の被固定具を更に別の支持体に取り付けた状態を示す断面図である。
【符号の説明】
【００３４】
１  雄ねじ杆
１ａ  一端
１ｂ  他端
３  雄ねじ
５  支軸
７  被固定物
９  縛着手段
１１  回動杆
１１ａ  一端
１３  ばね
１３ａ  一端
１３ｂ  他端
１５  ナット
１７  座金
２１  支持体
２３  管
２５  保持体
２７  引込線
２９  案内環
３１  破風板
３３  照明器具
３５  取付板
３７  天井板
３９  透孔
【図１】
2008138760.tif 000003
【図２】
2008138760.tif 000004
【図３】
2008138760.tif 000005
【図４】
2008138760.tif 000006
【図５】
2008138760.tif 000007
【図６】
2008138760.tif 000008
【図７】
2008138760.tif 000009
【図８】
2008138760.tif 000010